(57)【要約】【課題】冷蔵室が上方、冷凍室が下方にある冷凍冷蔵庫では、貯氷部が下方の冷凍室内に位置されているため、氷の取り出し時に腰をかがめる必要がありやりづらい。また、冷凍室内で製氷された氷は白く濁っており見かけが悪い。【解決手段】複数の貯蔵室を備えた冷蔵庫において、冷蔵庫の上部に設けられた冷蔵室と、冷蔵室内に設けられた−３℃以下で、かつ、−１３℃よりも高いマイナス温度帯に設定されたマイナス温度帯貯蔵室と、マイナス温度帯貯蔵室に設けられ、氷を製氷可能な製氷皿と、を備え、冷蔵室内において透明に近い氷を製氷可能とした。【選択図】　　　　図１
2004053092.tif 000002
【特許請求の範囲】
【請求項１】
複数の貯蔵室を備えた冷蔵庫において、冷蔵庫の上部に設けられた冷蔵室と、前記冷蔵室内に設けられた−３℃以下で、かつ、−１３℃よりも高いマイナス温度帯に設定されたマイナス温度帯貯蔵室と、前記マイナス温度帯貯蔵室に設けられ、氷を製氷可能な製氷皿と、を備えたことを特徴とする冷凍冷蔵庫。
【請求項２】
前記マイナス温度帯貯蔵室に設けられ、氷を貯氷可能な貯氷箱を備え、前記冷蔵室内で製氷と貯氷の両方を可能としたことを特徴とする請求項１に記載の冷凍冷蔵庫。
【請求項３】
前記貯氷箱は上部が開口し、前記貯氷箱の開口部を覆うように前記製氷皿を前記貯氷箱の上部に配置するようにしたことを特徴とする請求項２に記載の冷凍冷蔵庫。
【請求項４】
前記マイナス温度帯貯蔵室内の製氷皿近傍に冷気を供給するファンを設け、前記ファンの回転数を制御することにより製氷スピードを調整するようにしたことを特徴とする請求項１乃至請求項３のいずれかに記載の冷凍冷蔵庫。
【請求項５】
前記冷蔵室内にスライド可能なスライドケースを設け、前記スライドケース内を−３℃以下で、かつ、−１３℃よりも高い温度帯に設定し、前記スライドケース内に前記製氷皿あるいは前記貯氷箱を備えたことを特徴とする請求項１乃至請求項４のいずれかに記載の冷凍冷蔵庫。
【請求項６】
前記スライドケース内に仕切り壁を設け、前記製氷皿あるいは前記貯氷箱と他の食品の貯蔵スペースとを区分けしたことを特徴とする請求項５に記載の冷凍冷蔵庫。
【請求項７】
前記冷蔵室内に設けられた給水タンクと、前記給水タンク内の水を給水パイプを介して前記製氷皿へ供給する給水ポンプと、前記製氷皿あるいは前記製氷皿近傍に設けられ、前記製氷皿内の水あるいは氷の温度を検知する温度検出手段と、前記温度検出手段により検出された検出温度が所定の温度以下の場合に前記製氷皿を反転させて前記製氷皿にできた氷を離氷させるギアボックスと、前記離氷した氷を収納する貯氷箱と、を備えたことを特徴とする請求項１乃至請求項６のいずれかに記載の冷凍冷蔵庫。
【請求項８】
前記冷蔵庫内あるいは前記冷蔵庫外に設けられ、前記マイナス温度帯貯蔵室内の温度を可変に設定可能な温度設定スイッチと、前記マイナス温度帯貯蔵室内に設けられ、前記マイナス温度帯貯蔵室内の温度を検出する温度検出手段と、前記マイナス温度帯貯蔵室へ冷気を供給する冷気供給ダクト内に設けられ、前記温度設定スイッチの設定温度情報に基づいて前記温度検出手段の検出温度が設定温度に近づくように前記マイナス温度帯貯蔵室へ供給される冷気量を調整するダンパと、を備え、前記温度設定スイッチにより前記マイナス温度帯貯蔵室内の温度を変更することによって、製氷に有する時間を変更できるようにしたことを特徴とする請求項１乃至請求項７のいずれかに記載の冷凍冷蔵庫。
【請求項９】
前記マイナス温度帯貯蔵室内の温度を−５℃以下で、かつ、−１０℃以上の範囲内に設定して製氷を行なうようにしたことを特徴とする請求項１乃至請求項８のいずれかに記載の冷凍冷蔵庫。
【請求項１０】
底部に複数の小さな穴を有する第１の製氷皿と、前記第１の製氷皿の底部を覆うように設けられた第２の製氷皿と、によって前記製氷皿を構成し、前記第１の製氷皿と前記第２の製氷皿とを組合せた状態で製氷するようにしたことを特徴とする請求項１乃至請求項９のいずれかに記載の冷凍冷蔵庫。
【請求項１１】
前記マイナス温度帯室へ冷気を送風する冷気送風ダクト内に脱臭装置を設けたことを特徴とする請求項１乃至請求項１０のいずれかに記載の冷蔵庫。
【請求項１２】
前記冷蔵室の下方に冷凍室を備え、製氷機能を有する製氷装置を前記冷凍室に備えていることを特徴とする請求項１乃至請求項１０のいずれかに記載の冷凍冷蔵庫。
【発明の詳細な説明】
【０００１】
【発明の属する技術分野】
この発明は、製氷や貯氷を行なうことのできる冷凍冷蔵庫に関するものである。
【０００２】
【従来の技術】
図１２は従来の冷蔵庫の側断面図であり、冷蔵室及び製氷機能を有する冷凍室を備えた冷凍冷蔵庫である。図において、４５は冷蔵室、３０は冷蔵室２６の下部に配置された野菜室、２９は冷蔵室の下部で、野菜室３０の下部に配置されている冷凍室である。２７は冷凍室２９内に配置され、製氷を行なう製氷皿、２８は冷凍室３０内に設けられ、製氷皿２７にて製氷された氷を貯蔵する貯氷箱である。冷蔵室２６が上部にある従来の冷凍冷蔵庫は、製氷皿２７や貯氷箱２８が冷蔵室４５の下部に配置されている冷凍室２９内に設けられている。
【０００３】
また、特許第３０６６０１０号公報に記載の冷蔵庫では、同一扉内に冷蔵室と新温度帯冷凍室（−５℃〜−７℃）を設けた旨の記載があるが、新温度帯冷凍室に製氷皿を配置して製氷を行うことに関しては開示されていない。
【０００４】
【発明が解決しようとする課題】
従来の冷蔵庫では、冷凍室２９内で製氷した氷は、製氷温度が−１８℃以下と低い温度で短時間で製氷するため、不純物や空気混入などにより製氷された氷が白く濁っており、氷水、ウイスキーの水割りやジュースなどを飲む場合に見ためが悪いため、おいしさが半減していた。また、使用頻度の高い冷蔵室２６が上方にあるため、貯氷部を有した冷凍室２９が下方に配置されており、氷を取り出す場合にユーザーが腰をかがめる必要があり取りだしづらかった。
【０００５】
また、冷たい飲み物を飲む場合には、グラスなどの容器に飲み物と氷の両方を入れたいが、飲み物は冷蔵室４５内にあるが、氷は冷凍室２９内にあるため、ユーザーが２つの扉を開ける必要があり、手間と時間がかかっていた。また、冷蔵室４５と冷凍室２９の両方の扉を開く必要があるため、扉開閉による冷気漏れが多くなり、電気代が高くなっていた。
【０００６】
また、従来の冷蔵庫では、氷を作るのは専用の製氷室で専用のスペースを有しているため、氷を使わない時に邪魔なスペースとなっていた。
【０００７】
この発明は、上記の問題点を解決するためになされたもので、透明に近い氷を氷の使用頻度に合わせて製氷可能な冷凍冷蔵庫を提供することを目的とする。また、使用頻度の高い冷蔵室内の貯蔵物の取りだし性を損なうことなく氷の取りだし性も良好な冷凍冷蔵庫を提供することを目的とする。また、省エネルギな冷凍冷蔵庫を提供することを目的とする。また、スペースの有効活用を行なえる冷蔵庫を提供することを目的とする。
【０００８】
【課題を解決するための手段】
本発明の請求項１に記載の冷凍冷蔵庫は、複数の貯蔵室を備えた冷蔵庫において、冷蔵庫の上部に設けられた冷蔵室と、前記冷蔵室内に設けられた−３℃以下で、かつ、−１３℃よりも高いマイナス温度帯に設定されたマイナス温度帯貯蔵室と、前記マイナス温度帯貯蔵室に設けられ、氷を製氷可能な製氷皿と、を備えたものである。
【０００９】
本発明の請求項２に記載の冷凍冷蔵庫は、前記マイナス温度帯貯蔵室に設けられ、氷を貯氷可能な貯氷箱を備え、前記冷蔵室内で製氷と貯氷の両方を可能としたものである。
【００１０】
本発明の請求項３に記載の冷凍冷蔵庫は、前記貯氷箱は上部が開口し、前記貯氷箱の開口部を覆うように前記製氷皿を前記貯氷箱の上部に配置するようにしたものである。
【００１１】
本発明の請求項４に記載の冷凍冷蔵庫は、前記マイナス温度帯貯蔵室内の製氷皿近傍に冷気を供給するファンを設け、前記ファンの回転数を制御することにより製氷スピードを調整するようにしたものである。
【００１２】
本発明の請求項５に記載の冷凍冷蔵庫は、前記冷蔵室内にスライド可能なスライドケースを設け、前記スライドケース内を−３℃以下で、かつ、−１３℃よりも高い温度帯に設定し、前記スライドケース内に前記製氷皿あるいは前記貯氷箱を備えたものである。
【００１３】
本発明の請求項６に記載の冷凍冷蔵庫は、前記スライドケース内に仕切り壁を設け、前記製氷皿あるいは前記貯氷箱と他の食品の貯蔵スペースとを区分けしたものである。
【００１４】
本発明の請求項７に記載の冷凍冷蔵庫は、前記冷蔵室内に設けられた給水タンクと、前記給水タンク内の水を給水パイプを介して前記製氷皿へ供給する給水ポンプと、前記製氷皿あるいは前記製氷皿近傍に設けられ、前記製氷皿内の水あるいは氷の温度を検知する温度検出手段と、前記温度検出手段により検出された検出温度が所定の温度以下の場合に前記製氷皿を反転させて前記製氷皿にできた氷を離氷させるギアボックスと、前記離氷した氷を収納する貯氷箱と、を備えたものである。
【００１５】
本発明の請求項８に記載の冷凍冷蔵庫は、前記冷蔵庫内あるいは前記冷蔵庫外に設けられ、前記マイナス温度帯貯蔵室内の温度を可変に設定可能な温度設定スイッチと、前記マイナス温度帯貯蔵室内に設けられ、前記マイナス温度帯貯蔵室内の温度を検出する温度検出手段と、前記マイナス温度帯貯蔵室へ冷気を供給する冷気供給ダクト内に設けられ、前記温度設定スイッチの設定温度情報に基づいて前記温度検出手段の検出温度が設定温度に近づくように前記マイナス温度帯貯蔵室へ供給される冷気量を調整するダンパと、を備え、前記温度設定スイッチにより前記マイナス温度帯貯蔵室内の温度を変更することによって、製氷に有する時間を変更できるようにしたものである。
【００１６】
本発明の請求項９に記載の冷凍冷蔵庫は、前記マイナス温度帯貯蔵室内の温度を−５℃以下で、かつ、−１０℃以上の範囲内に設定して製氷を行なうようにしたものである。
【００１７】
本発明の請求項１０に記載の冷凍冷蔵庫は、底部に複数の小さな穴を有する第１の製氷皿と、前記第１の製氷皿の底部を覆うように設けられた第２の製氷皿と、によって前記製氷皿を構成し、前記第１の製氷皿と前記第２の製氷皿とを組合せた状態で製氷するようにしたものである。
【００１８】
本発明の請求項１１に記載の冷凍冷蔵庫は、前記マイナス温度帯室へ冷気を送風する冷気送風ダクト内に脱臭装置を設けたものである。
【００１９】
本発明の請求項１２に記載の冷凍冷蔵庫は、前記冷蔵室の下方に冷凍室を備え、製氷機能を有する製氷装置を前記冷凍室に備えているものである。
【００２０】
【発明の実施の形態】
実施の形態１．
図１は本発明の実施の形態１を表す冷蔵庫の側断面図である。１は開閉扉を有する冷蔵室、２０は冷蔵室１の下部に配置された野菜室、９は冷蔵室１の下部で、野菜室２０の下部に配置される冷凍室である。
【００２１】
２は氷を製氷するための製氷皿であり、冷蔵室１内の下部に設けられた０℃よりも低い温度帯に設定されたマイナス温度帯貯蔵室５内に収納される。このマイナス温度帯貯蔵室５の上面、後面および両側面にはスチロールなどによる断熱プレート３が配置されて周囲温度（冷蔵室１内温度）の影響を受けにくくしている。マイナス温度帯の前面開口部には、スチロールなどの断熱プレートや内部に空気を封入した断熱プレートなどにより断熱を行なうフタ４が設けられている。
【００２２】
また、野菜室２０の後面には断熱仕切り壁を介して冷却器２０１、ファン２０２を有する冷却器室２００が設けられており、冷却器２０１にて生成された冷気をファン２０２により送風することによって冷却器室２００内の冷気をダクトなどを介して冷蔵室１、冷凍室９、野菜室２０などの各貯蔵室を冷却するようにしている。マイナス温度帯貯蔵室５にも専用の冷気送風ダクト２１０が設けられ、冷気量を調整する風量調整装置７も設けられている。この風量調整装置７は、弁の開度を調整することによって冷気量を調整できるようになっている。
【００２３】
マイナス温度帯貯蔵室５内には温度検出手段である温度センサー６が設けられており、この温度センサー６により検出された温度情報により風量調整装置７の弁の開度を制御し、マイナス温度帯貯蔵室５内を製氷可能な温度である０℃より低い温度、例えば−３℃以下で、かつ−１３℃より高い温度帯であるマイナス温度帯にコントロールするようにしている。
【００２４】
ここで、−３℃より高い温度であると氷ができる時間が長くなり、また、冷蔵庫の開閉により氷が溶けやすくなるため、−３℃以下の温度に設定するようにしている。また、−１８℃以下の温度に設定すると、急速に氷が製氷されるため水中の空気や不純物などの影響で氷が白く濁ってしまい見た目が悪く、氷水、ウイスキーの水割り、ジュースなどを飲む場合においしさが半減してしまうので、−１８℃よりも高い温度、たとえば−１３℃よりも高い温度に設定してゆっくりと時間をかけて製氷した方が透明に近い氷を作ることができ、水割りなどをおいしく飲むことができる。
【００２５】
更に、マイナス温度帯貯蔵室５内の温度は、好ましくは上限温度−５℃以下であり、下限は−１０℃以上である。−５℃以下に設定すると、−３℃以下に設定する場合に比べて氷が溶けにくくなるので好ましい。また、−１０℃以上に設定すると、−１３℃より高く設定した場合よりも製氷時間が長くなるので、より透明に近い氷を得ることができる。
【００２６】
マイナス温度帯貯蔵室５内の設定温度は、上記でも説明したように、上限は−３℃よりも低く、好ましくは−５℃以下、下限は−１３℃よりも高く、好ましくは−１０℃以上である。ここで、−５℃以下でかつ−１０℃以上に設定すれば、マイナス温度帯貯蔵室５内に氷以外の食品等を貯蔵する場合に、鮮度維持が可能で、かつ、凍ったまま食品を切ったりすることが可能となり、調理する場合に、解凍する時間が不要となるため調理時間が短縮できるようになるため、好ましい。
【００２７】
ここで、マイナス温度帯貯蔵室５は、冷蔵室１の下部に配置されているので、ユーザーが氷を取出す場合に腰をかがめる必要がなく、また、冷蔵室１のみの開閉動作でジュースなどの飲み物と氷の両方を取出すことができ、冷蔵室１を開閉して飲み物を取りだし、冷凍室９を開閉して氷を取出すよりも時間と手間がかからない。
【００２８】
また、マイナス温度帯貯蔵室５は、冷蔵室１内であれば、下部でなくてもよく、どこに配置しても、設定温度を上記のように上限を−３℃よりも低く、好ましくは−５℃以下、下限を−１３℃よりも高く、好ましくは−１０℃以上にしてゆっくりと製氷すれば、空気の混入などが抑制でき、透明に近い氷を得ることができる。このように、冷蔵室１内の一部をマイナス温度帯にコントロールし、その空間（マイナス温度帯貯蔵室５）内に製氷皿２を設けることにより、冷蔵室１内でありながら製氷をすることができる。
【００２９】
本実施の形態では、冷凍室９内は−１８℃以下の冷凍温度帯に設定されており、この冷凍室９内にも製氷を行なうことができる自動製氷機２５が設けられている。自動製氷器２５には製氷皿２６が設けられて製氷可能であり、この冷凍室９内の自動製氷機２５にて製氷された氷は、飲み物用以外の冷却用に使用すれば良く、また、夏場等氷が不足する時の補助的な氷として使用することができる。また、冬場など、冷蔵室１内の氷のみの使用で充分な場合（冷凍室９内の自動製氷機２５で製氷する必要がない場合）には、冷凍室９内の自動製氷機２５を停止にすれば、冷凍室９内に設けられている貯氷箱１０内に他の冷凍食品を収納することができ、冷凍室９内を有効活用できる。本実施の形態では、冷凍室９内の製氷装置は、自動製氷機２５を備えた例を示したが手動の製氷皿を備えた冷蔵庫であっても同様の効果が得られる。
【００３０】
さらに、マイナス温度帯貯蔵室５内へ冷気を送風する冷気送風ダクト２１０内に脱臭装置２３（たとえばＬＥＤを使用した脱臭ユニットなど）を設ければ、冷気中の臭い成分を除去することができるので、氷にいやなにおいが閉じ込められたり付着することがなくなり、おいしい氷を得ることができる。また、マイナス温度帯貯蔵室５内へ冷気を送風する冷気送風ダクト２１０内にローズマリーなどの抗酸化剤を設けても良い。
【００３１】
図２は本発明の実施の形態を表す別の冷蔵庫の側断面図である。図において、図１と同等部分は同一の符号を付して説明は省略する。２は氷を製氷するための製氷皿であり、冷蔵室１内の下部に設けられた０℃よりも低い温度帯に設定されたマイナス温度帯貯蔵室５内に収納される。８は氷を貯氷する貯氷箱であり、上部が開口しており、氷が取出しやすいようになっており、この貯氷箱８の上部に製氷皿２が配置されている。このとき貯氷箱８の開口部を覆うように製氷皿２を配置させれば、貯氷箱８内の冷気が逃げにくくなり、貯氷箱８内に貯氷されている氷が溶けるのを抑制できる。また、貯氷箱８内に直接冷気が当たるのを抑制できるので、貯氷箱８内に貯氷された氷の昇華を防ぐこともできる。
【００３２】
図３は製氷皿２と貯氷箱８の保持構造を示す正面図である。図４は製氷皿２と貯氷箱８の取り出し方法を示す側断面図である。図において、図１、図２と同等部分は同一の符号を付して説明は省略する。２は製氷皿、８は貯氷箱、１０１、１０２はマイナス温度帯貯蔵室５の断熱材を有する側壁である断熱プレートである。１１１、１１２は側壁１０１、１０２に設けられた貯氷箱８を保持する貯氷箱用レール、３１、３２はマイナス温度帯貯蔵室５の上面を形成する断熱プレート３に設けられ、製氷皿２を保持する製氷皿用レールである。
【００３３】
貯氷箱８は左右の貯氷箱用レール１１１、１１２が存在することにより、貯氷箱用レール１１１、１１２上をすべることによってスムーズに引き出すことができる。ただし、この貯氷箱用レール１１１、１１２は設けなくてもよく、貯氷箱８を直接マイナス温度帯貯蔵室５の底面に置いてもよい。また、製氷皿２は左右の製氷皿用レール３１、３２が存在することにより、製氷皿用レール３１、３２上をすべることによってスムーズに引き出すことができる。ただし、この製氷皿用レール３１、３２は設けなくてもよく、製氷皿２を直接貯氷箱８上に置いてもよい。
【００３４】
貯氷箱８には前面に取っ手８１が設けられており、貯氷箱８から氷を取り出す時は、取っ手８１を手前に引き出すことによって、貯氷箱８の上面開口部から氷を取り出すことができる。貯氷箱８と製氷皿２を一体で引き出すと、貯氷箱８から氷が取り出しにくくなり、また、製氷皿２の氷がまだ水の状態の時だと水がこぼれる恐れがあるため、製氷皿２が冷蔵庫本体に残ったまま貯氷箱だけ取り出せる方が好ましい。
【００３５】
マイナス温度帯貯蔵室５の製氷皿２収納部の前面には上方向に回転して開閉可能なフタ４が設けられており、製氷皿２を取り出す時は、このフタ４を上側に回転させて、製氷皿２の前面に設けられた取っ手２８０を引き出すことによって、製氷皿用レール３１、３２上を滑りながら手前に引き出すことができるので、製氷皿２に製氷された氷を離氷したり、製氷皿２に給水したりすることができる。ここで、マイナス温度帯貯蔵室５の前面は、フタ４と貯氷箱８の前面部によって冷気漏れの影響が少なくなるように、各部の隙間（フタ４と貯氷箱８の前面とのすきま、扉４と側壁１０１、１０２とのすきま、貯氷箱８と側壁１０１、１０２とのすきまなど）を小さくしている。
【００３６】
図５は製氷皿２の天面（上面）から冷気を供給する場合の要部の側断面図である。図において、図１〜図４と同等部分は同一の符号を付して説明は省略する。３３はマイナス温度帯貯蔵室５の上面の断熱プレート３内に設けられた風路であり、マイナス温度帯貯蔵室５の後面の断熱プレート３０１を介して設けられた冷気送風ダクト２１０と接続されており、野菜室２０の背面に断熱プレート３０１を介して配置されている冷却器室２００より冷気が供給される。
【００３７】
断熱プレート３の下面には風路３４内に供給された冷気をマイナス温度帯貯蔵室５内に供給するための複数の吹き出し穴３５が設けられており、吹き出し穴３５は、製氷皿２の上方からまんべんなく製氷皿２の上面に冷気を降り注ぐことができる。したがって、製氷皿２の手前と奥側の製氷時間の差が大きい等の問題を抑制することができるので、製氷皿２内の各部での製氷時間が均一化され、製氷皿２内の氷粒の製氷時間を均一にすることができ、きれいな氷を提供することがでできる。
【００３８】
図６は本発明の実施の形態を表す別の冷蔵庫の側断面図である。図６のようにマイナス温度帯貯蔵室５内に製氷皿２を設けず、貯氷箱８のみを設けても良い。図において、図１〜図５と同等部分は同一の符号を付して説明は省略する。冷蔵室１内にマイナス温度帯にコントロールされたマイナス温度帯貯蔵室５が設けられており、貯氷箱８が収納されている。この貯氷箱８には手前側（前面側）に空気層を有する断熱部８１が設けられており、マイナス温度帯貯蔵室５の前面は貯氷箱８の前面部がフタの役目をしている。
【００３９】
また、冷凍室９内には製氷皿２が設けられており、製氷皿２の下部には冷凍室用貯氷箱１０が１つ以上設けられている。冷凍室９内の製氷皿２で作った氷や、冷凍室用貯氷箱１０に貯蔵されている氷を、冷蔵室１内の貯氷箱８内に移しかえることにより、冷蔵室１内でありながら貯氷をすることができる。これにより、グラスに氷と冷蔵室内の飲み物を入れる際、冷蔵室１のみの扉開閉で用を成すことができるので、冷蔵室１を開閉して飲み物を取りだし、冷凍室９を開閉して氷を取出すよりも時間と手間がかからない。また、冷凍室を開けずに済むので省エネにもなる。
【００４０】
ここで、マイナス温度帯貯蔵室５の温度を−３℃以下でかつ−１３℃よりも高い温度、すなわち、通常の冷凍室温度帯（−１８℃以下）より高めの温度帯に設定することにより、製氷時間を長くすることができる。製氷時間を長くすると、空気が混入したまま製氷されることが抑制できるので、氷の外側や内側が透明に近くなり、水割り用の氷等に適した見た目が良い透明に近い氷を作ることができる。また、製氷時間を長くして製氷した氷の方が、氷の強度が強く、割れたり欠けたりしにくい。さらに製氷時間を長くして製氷した氷の方が、出来た氷が溶けにくくなる。
【００４１】
図７は本発明の実施の形態を表す製氷皿の断面図である。図において、図１〜図６にて説明した冷蔵庫内の製氷皿２の構造について説明する図である。図において、２５０は冷凍室９内に設置されたり、冷蔵室１内のマイナス温度帯貯蔵室５内に設置される製氷皿であり、二重構造をしている。製氷皿２５０は、第１の製氷皿である内側製氷皿２５１と、第２の製氷皿である外側製氷皿２５２とによって構成されている。外側製氷皿２５２は、内側製氷皿２５１の下側（下面）を覆うようにもうけられており、内側製氷皿２５１の下面には、複数の小さな穴２５３が設けられている。また、内側製氷皿２５１の下面と外側製氷皿２５２の上面との間には、隙間２５４が設けられており、内側製氷皿２５１の下面の複数の小さな穴２５３により、内側製氷皿２５１の上面空間と隙間２５４が連通している。
【００４２】
この二重構造の製氷皿２５０に、水を入れて氷を作る場合、図５で示したように製氷皿２５０の上面（水面）側から冷気を分散させて製氷皿２５０の上面に略均等となるように集中的に冷気を当てるようにすると、製氷皿２５０内の水は上方から氷になっていき、第１の製氷皿である内側製氷皿２５１と第２の製氷皿である外側製氷皿２５２との間の隙間２５４内の水が最後に氷となるため、水の中に含まれるミネラル成分等の白濁する不純物は第１の製氷皿である内側製氷皿２５１と第２の製氷皿である外側製氷皿２５２との間の隙間２５４内に追いやられるため、第１の製氷皿である内側製氷皿２５１内には、水割り用の氷等に適した透明に近い氷のみを得ることができる。
【００４３】
本実施の形態では、１つの冷却器２０１で、冷蔵室１やマイナス温度帯貯蔵室５や冷凍室９など全ての貯蔵室を冷却する構造であり、冷却器２０１の温度が−２０℃以下と低く、風量調整装置７の弁を全開状態にすると、マイナス温度帯貯蔵室５の冷気吹出温度を−２０℃近くにすることが可能で、マイナス温度帯貯蔵室５内の温度を−１０℃以下にもすることができる。
【００４４】
したがって、冷凍温度帯と冷蔵温度帯をそれぞれ冷却する２冷却器を有する構造の冷蔵庫にて、冷蔵室温度帯用冷却器（冷蔵室用冷却器）で冷蔵室１内に配設されたマイナス温度帯貯蔵室５を冷却する場合に比べてマイナス温度帯貯蔵室５内への冷気吹き出し温度を低く（−２０℃以下）でき、それにより、マイナス温度帯貯蔵室５内の温度を−１０℃以下の低温にできる。たとえば、冷蔵室専用の冷却器の場合には、冷凍に比べて低温度（−２０℃以下）を必要としないためため、冷却器温度は最低でも−１８℃程度、冷蔵室への冷気吹き出し温度はせいぜい−１０℃〜−１３℃程度であり、冷蔵室などの貯蔵室内温度は最低でも−５℃程度に維持するのが限界である。
【００４５】
したがって、２冷却器仕様の冷蔵庫で冷蔵室用冷却器を使用して製氷を行なう場合には、製氷温度が−５℃程度と高いため、製氷時間が長くなり１日に使用する量の氷を作るのが困難であるが、本実施の形態のように１冷却器仕様の冷蔵庫では、製氷温度を上限は−３℃よりも低く、好ましくは−５℃以下、下限は−１３℃よりも高く、好ましくは−１０℃以上と低くできるので、透明に近い氷が得られ、しかも製氷温度を調整して製氷時間を短くすることもでき、１日に使用する充分な量の氷を作ることができる。ここで、２冷却器仕様の冷蔵庫であっても、製氷を行う部屋（貯蔵室）の温度を上限は−３℃よりも低く、好ましくは−５℃以下、下限は−１３℃よりも高く、好ましくは−１０℃以上に設定できる場合は、２冷却器仕様の冷蔵庫でも同等の効果がえられる。
【００４６】
実施の形態２．
図８は本発明の実施の形態２を表す冷蔵庫の側断面図である。図８は、冷蔵室１が上部にあり、冷凍室９内に製氷機能を有する冷凍冷蔵庫を表している。図において、図１〜図７と同等部分は同一の符号を付して説明は省略する。本実施の形態では、実施の形態１に加えて、マイナス温度帯貯蔵室５内に冷気循環用のファン１２を設けたものである。図において、１は冷蔵室、２０は冷蔵室１の下部に配置された野菜室、９は野菜室９の下部に配置された冷凍室であり、冷凍室９内には製氷可能な製氷装置が設けられている。５は冷蔵室１内に設けられたマイナス温度帯貯蔵室、２はマイナス温度帯貯蔵室５内にて氷を製氷する製氷皿、１２はマイナス温度帯貯蔵室５内の冷気を循環する冷気循環用のファン、６はマイナス温度帯貯蔵室５内の温度を検出する温度検出手段である温度センサーである。
【００４７】
マイナス温度帯貯蔵室５内のファン１２を運転させると、製氷皿２の周辺に冷気が循環するため、効率よく製氷できるため製氷時間を短くすることができる。ここで、ファン１２のオン／オフの制御は、マイナス温度帯貯蔵室５内に設けられている温度センサー６によって検出された温度情報によって行なってもよい。温度センサー６により検出された温度情報が所定の温度以上、あるいは所定の温度上昇率以上の場合に自動的にオンさせてもよく、また、マイナス温度帯貯蔵室５の前面に急速製氷スイッチ２６を設けて、ユーザーが必要なときに急速製氷スイッチ２６を押すことによって手動的にファン１２を運転させてもよい。また、この急速製氷スイッチ２６は、冷蔵庫内のどこに設けても良いし、また、冷蔵庫外の前面扉や側面などに設けても良い。
【００４８】
実施の形態３．
図９は本発明の実施の形態３を表す冷蔵庫の側断面図であり、冷蔵室が上部にあり、製氷機能付冷凍室を有する冷凍冷蔵庫の側断面図（図９（ａ））と正面図（図９（ｂ））を表している。図において、図１〜図８と同等部分は同一の符号を付して説明は省略する。本実施の形態では、実施の形態１や実施の形態２に加えて、マイナス温度帯貯蔵室５に前後にスライド可能なスライドケースを備えたものである。
【００４９】
図におて、１は冷蔵庫の上部に配置されている冷蔵室、２０は冷蔵室１の下方に配置される野菜室、９は冷蔵室１の下方で、かつ野菜室２０の下方に配置され、製氷装置を有する冷凍室である。５は冷蔵室１内の下部に断熱プレート３を介して配置された０℃以下で、かつ−１８℃よりも高い温度に設定されたマイナス温度帯貯蔵室であり、設定温度を上記のように上限を−３℃よりも低く、好ましくは−５℃以下、下限を−１３℃よりも高く、好ましくは−１０℃以上にしてゆっくりと製氷すれば、空気の混入などが抑制でき、透明に近い氷を得ることができる。
【００５０】
ここで、１３は冷蔵室１の下部に全幅で設けられている前後に引き出し可能なスライドケースである。スライドケース１３内の右端側には貯氷箱８が設けられ、その上方には製氷皿２が設けられており、スライドケース１３を引出すことにより、貯氷箱８も引き出すことができる。貯氷箱８はスライドケース１３内の全幅でなくともよく所定の幅を有しておれば良く、スライドケース１３内の左右端部でも中央部でもよく、どこに配置されていても良い。
【００５１】
本実施の形態では、冷蔵室１内にスライド可能なスライドケース１３を設け、スライドケース１３内を−３℃以下（好ましくは−５℃以下）で、かつ、−１３℃よりも高い温度（好ましくは−１０℃以上）範囲内に設定し、スライドケース１３内に製氷皿２あるいは貯氷箱８を備えたので、冷蔵室１内でありながら製氷や貯氷が可能であり、また、スライドケース１３内で冷凍食品の保存と貯氷とを同じケース内のスペースで効率良く収納することができる。また、氷を使わない時には貯氷箱８を取除いておけば、スライドケース１３の内部全てを冷凍食品の収納に使え、ユーザーがその使用頻度に応じて自分で収納する物を選択することができる。
【００５２】
図１０は、本発明の実施の形態を表す別の冷蔵庫の正面図である。図において、図１〜図９と同等部分は同一の符号を付して説明は省略する。図１０の冷蔵庫では、図９に対して、製氷皿２の側面にスライドケース１３内に保存されている食品からの製氷皿２への臭いが移るののを防止するための仕切り１４が設けられている。図において、１４はマイナス温度帯貯蔵室５内の設けられたスライドケース１３の上方の製氷皿２の側面を仕切る仕切り板である。この仕切り板１４を設けることにより、スライドケース１３内に収納された氷以外の他の食品などからのいやなにおいが製氷皿２内の水や氷に取り込まれたり、付着するのを抑制できる。なお、この仕切り１４は、製氷皿２を仕切るだけでなく、貯氷箱８内へのにおいの侵入も抑制できるような長さと幅を有している。
【００５３】
実施の形態４．
図１１は本発明における実施の形態４の冷蔵庫を表わす図であり、図１１（ａ）は本実施の形態を表す冷蔵庫の正面図、図１１（ｂ）は図１１（ａ）の冷蔵庫における要部（製氷皿および貯氷箱近傍）の側断面図であり、冷蔵室が上部にあり、製氷機能付冷凍室を有する冷凍冷蔵庫の正面図を表している。図において、図１〜図８と同等部分は同一の符号を付して説明は省略する。本実施の形態では、実施の形態１や実施の形態２や実施の形態３に加えて、冷蔵室１の下部のマイナス温度帯貯蔵室５の側面に断熱プレート５を介して給水タンク１７を備えたものである。
【００５４】
図において、１は冷蔵庫の上部に配置されている冷蔵室、２０は冷蔵室１の下方に配置される野菜室、９は冷蔵室１の下方で、かつ野菜室２０の下方に配置され、製氷装置を有する冷凍室である。５は冷蔵室１内の下部に断熱プレート３を介して配置された０℃以下で、かつ−１８℃よりも高い温度に設定されたマイナス温度帯貯蔵室であり、設定温度を上記のように上限を−３℃よりも低く、好ましくは−５℃以下、下限を−１３℃よりも高く、好ましくは−１０℃以上にしてゆっくりと製氷すれば、空気の混入などが抑制でき、透明に近い氷を得ることができる。
【００５５】
ここで、１３は冷蔵室１の下部に全幅で設けられている前後に引き出し可能なスライドケースである。スライドケース１３内の右端側には貯氷箱８が設けられ、その上方には製氷皿２が設けられており、スライドケース１３を引出すことにより、貯氷箱８も引き出すことができる。貯氷箱８はスライドケース１３内の全幅でなくともよく所定の幅を有しておれば良く、スライドケース１３内の左右端部でも中央部でもよく、どこに配置されていても良い。
【００５６】
また、１５は断熱材を有する仕切りである断熱プレートであり、冷蔵室１の下部に設けられたマイナス温度帯貯蔵室５の側壁を形成し、給水タンク室１６が冷蔵室１の下部で、この断熱プレート１５に対してマイナス温度帯貯蔵室５の反対側に形成されている。即ち、マイナス温度帯貯蔵室５と給水タンク室５０が断熱プレート１５を介して左右に並んで配置されている。
【００５７】
ここで、給水タンク室５０内には給水タンク１７が収納されており、マイナス温度帯貯蔵室５内に設けられている製氷皿２に給水タンク１７内の水が給水ポンプ１８により給水パイプ１９を介して供給される。給水タンク室５０内の温度は０℃以上に設定されており、給水タンク１７内の水が凍らない温度であればよく、冷蔵室１内温度と同等でも良い。
【００５８】
製氷皿２の下面には、製氷皿２内の水が氷になったことを検知する製氷完了検知手段である製氷完了検知温度センサー２１が設けられており、この製氷完了検知温度センサー２１により検出された温度情報に基づいて製氷皿２内の製氷完了を検知する。また、貯氷箱８内の氷の残量を検知するレバー２４も設けられており、氷の残量が少なくなったことを検知すると、製氷皿２の端部に設けられている製氷ギアボックス２２により製氷皿２を回転させ、製氷皿２の下方に配置されている貯氷箱８内に製氷皿２内の氷を離氷させる。その後、給水ポンプ１８により、給水タンク１７内の水を給水パイプ１９を介して一定量だけ製氷皿２に給水し、次の製氷を行う。
【００５９】
すなわち、冷蔵室１内に設けられた給水タンク１７と、給水タンク１７内の水を給水パイプ１９を介して製氷皿２へ供給する給水ポンプ１８と、製氷皿２あるいは製氷皿２近傍に設けられ、製氷皿２内の水あるいは氷の温度を検知する温度検出手段２１と、温度検出手段である製氷完了検知温度センサー２１により検出された検出温度が所定の温度以下の場合に製氷皿２を反転させて製氷皿２にできた氷を離氷させるギアボックス２２と、離氷した氷を収納する貯氷箱８と、を備えたので、冷凍室９内に加えて冷蔵室１内にも自動製氷装置を備えることができ、ユーザーの使い勝手がよくなるのに加えて、透明に近い氷も得ることが可能となる。
【００６０】
以上、実施の形態１〜実施の形態４で説明したように、冷凍室９に加えて冷蔵室１内にもマイナス温度帯貯蔵室５を設け、製氷機能を有する自動製氷装置（製氷皿２や貯氷箱８など）を設けて、冷蔵室１内のマイナス温度帯貯蔵室５では冷凍室９内製氷温度（−１８℃以下）よりも高い温度（−１３℃よりも高く、−３℃以下、好ましくは−１０℃以上、−５℃以下）に設定したので、透明に近い氷を得ることができ、水割りなどをおいしく飲むことができる。また、冷凍室９内にも製氷装置を有することから、冷蔵室１内で製氷された透明に近い氷は飲食用に使用し、氷枕など単なる冷却用には冷凍室９内で製氷された氷を使用すればよく、夏場など氷を多く使用する場合でも氷不足になることがないように氷を提供できる冷蔵庫を得ることができる。
【００６１】
また、実施の形態１〜実施の形態４において、マイナス温度帯貯蔵室５内の設定温度を変更できるように、マイナス温度帯貯蔵室５の前面や冷蔵庫扉の前面などに温度設定スイッチやレバー（図示せず）を設けるようにして、マイナス温度帯貯蔵室５内の温度が自由に設定できるようにしてもよい。マイナス温度帯貯蔵室５内の設定温度が高ければ高いほど、製氷時間が長く必要となるが、透明に近い氷を得ることができる。逆に、設定温度が低ければ低いほど製氷時間が短くてすむが、水に混入している空気が逃げきれないなどの理由で白く濁った氷となる。
【００６２】
すなわち、本発明では、マイナス温度帯貯蔵室５内の設定温度をユーザーが自由に変更できるように温度設定スイッチや温度設定レバーなどを冷蔵庫内や冷蔵庫外に設けるようにしているので、氷が白く濁っていても製氷時間を短くしたいユーザーは設定温度を低く（−１３℃以下だと氷が白くにごるので、透明に近い氷を得たい場合は、たとえば−１３℃よりも高く、好ましくは−１０℃以上にした方がよい。）でき、逆に製氷時間は多少長くかかっても透明に近い氷が必要なユーザーは設定温度を高く（−３℃よりも高い温度だと、氷が溶けやすくなるので、例えば−３℃以下、好ましくは−５℃以下に設定した方がよい。）することができ、ユーザーが製氷時間や氷の透明度に応じて製氷温度を自由に選択できる。
【００６３】
ここで、予め、製氷温度と製氷時間、氷の透明度との関係を把握しておけば、温度設定スイッチや温度設定レバーの代わりに製氷時間の目安を設定できる製氷時間設定スイッチや製氷時間設定レバー（図示せず）を設けてもよい。そうすれば、ユーザーが製氷時間の目安や、氷の透明度などを把握できるので、氷を使用したい必要な時間や氷の透明度に合わせて製氷時間（あるいは製氷温度）を設定できる。なお、本発明の実施の形態１〜実施の形態４では、冷蔵室１の下方で、冷凍室９の上方に配置された貯蔵室２０を野菜室として説明したが、別に野菜室でなくてもよく、切替室や冷凍室など何でもよい。また、冷凍室９は冷蔵室１の下方にあればよく、野菜室２０の上方でもよい。
【００６４】
ここで、本発明の実施の形態１〜実施の形態４にて説明したマイナス温度帯貯蔵室５は、必要に応じて製氷皿２や貯氷箱８を取除いて、上限が−３℃よりも低く、好ましくは−５℃以下、下限が−１３℃よりも高く、好ましくは−１０℃以上に設定される貯蔵室として利用することができるので、製氷室専用に設けた場合よりも冷蔵庫内のスペースの有効活用ができ、製氷しない場合に邪魔なスペースがなくなる。
【００６５】
【発明の効果】
本発明の請求項１に記載の冷凍冷蔵庫は、複数の貯蔵室を備えた冷蔵庫において、冷蔵庫の上部に設けられた冷蔵室と、前記冷蔵室内に設けられた−３℃以下で、かつ、−１３℃よりも高いマイナス温度帯に設定されたマイナス温度帯貯蔵室と、前記マイナス温度帯貯蔵室に設けられ、氷を製氷可能な製氷皿と、を備えたので、通常の冷凍温度帯（−１８℃以下）よりも高い温度でゆっくりと時間をかけて製氷できるため、通常の冷凍温度帯（−１８℃以下）で氷をつくるよりも透明に近い氷を作ることができ、水割りなどをおいしく飲むことができる。
【００６６】
本発明の請求項２に記載の冷凍冷蔵庫は、前記マイナス温度帯貯蔵室に設けられ、氷を貯氷可能な貯氷箱を備え、前記冷蔵室内で製氷と貯氷の両方を可能としたので、ユーザーが氷を取出す場合に腰をかがめる必要がなく、また、冷蔵室１のみの開閉動作でジュースなどの飲み物と氷の両方を取出すことができ、冷蔵室１を開閉して飲み物を取りだし、冷凍室９を開閉して氷を取出すよりも時間と手間がかからない。
【００６７】
本発明の請求項３に記載の冷凍冷蔵庫は、前記貯氷箱は上部が開口し、前記貯氷箱の開口部を覆うように前記製氷皿を前記貯氷箱の上部に配置するようにしたので、貯氷箱内の冷気が逃げにくくなり、貯氷箱内に貯氷されている氷が溶けるのを抑制できる。また、貯氷箱内に直接冷気が当たるのを抑制できるので、貯氷箱内に貯氷された氷の昇華を防ぐこともできる。
【００６８】
本発明の請求項４に記載の冷凍冷蔵庫は、前記マイナス温度帯貯蔵室内の製氷皿近傍に冷気を供給するファンを設け、前記ファンの回転数を制御することにより製氷スピードを調整するようにしたので、効率よく製氷でき製氷時間を短くすることができる。
【００６９】
本発明の請求項５に記載の冷凍冷蔵庫は、前記冷蔵室内にスライド可能なスライドケースを設け、前記スライドケース内を−３℃以下で、かつ、−１３℃よりも高い温度範囲内に設定し、前記スライドケース内に前記製氷皿あるいは前記貯氷箱を備えたので、スライドケース内で冷凍食品の保存と貯氷とを同じケース内のスペースで効率良く収納することができる。また、氷を使わない時には貯氷箱を取除いておけば、スライドケースの内部全てを冷凍食品の収納に使え、ユーザーがその使用頻度に応じて自分で収納する物を選択することができる。
【００７０】
本発明の請求項６に記載の冷凍冷蔵庫は、前記スライドケース内に仕切り壁を設け、前記製氷皿あるいは前記貯氷箱と他の食品の貯蔵スペースとを区分けしたので、スライドケース内に収納された氷以外の他の食品などからのいやなにおいが製氷皿内の水や氷に取り込まれたり、付着するのを抑制できる。
【００７１】
本発明の請求項７に記載の冷凍冷蔵庫は、前記冷蔵室内に設けられた給水タンクと、前記給水タンク内の水を給水パイプを介して前記製氷皿へ供給する給水ポンプと、前記製氷皿あるいは前記製氷皿近傍に設けられ、前記製氷皿内の水あるいは氷の温度を検知する温度検出手段と、前記温度検出手段により検出された検出温度が所定の温度以下の場合に前記製氷皿を反転させて前記製氷皿にできた氷を離氷させるギアボックスと、前記離氷した氷を収納する貯氷箱と、を備えたので、冷凍室内に加えて冷蔵室内にも自動製氷装置を備えることができ、ユーザーの使い勝手がよくなるのに加えて、透明に近い氷も得ることが可能となる。
【００７２】
本発明の請求項８に記載の冷凍冷蔵庫は、前記冷蔵庫内あるいは前記冷蔵庫外に設けられ、前記マイナス温度帯貯蔵室内の温度を可変に設定可能な温度設定スイッチと、前記マイナス温度帯貯蔵室内に設けられ、前記マイナス温度帯貯蔵室内の温度を検出する温度検出手段と、前記マイナス温度帯貯蔵室へ冷気を供給する冷気供給ダクト内に設けられ、前記温度設定スイッチの設定温度情報に基づいて前記温度検出手段の検出温度が設定温度に近づくように前記マイナス温度帯貯蔵室へ供給される冷気量を調整するダンパと、を備え、前記温度設定スイッチにより前記マイナス温度帯貯蔵室内の温度を変更することによって、製氷に有する時間を変更できるようにしたので、氷が白く濁っていても製氷時間を短くしたいユーザーは設定温度を低くでき、逆に製氷時間は多少長くかかっても透明に近い氷が必要なユーザーは設定温度を高くすることができるため、ユーザーが製氷時間や氷の透明度に応じて製氷温度を自由に選択できる。
【００７３】
本発明の請求項９に記載の冷凍冷蔵庫は、前記マイナス温度帯貯蔵室内の温度を−５℃以下で、かつ、−１０℃以上の範囲内に設定して製氷を行なうようにしたので、マイナス温度帯貯蔵室内に氷以外の食品等を貯蔵する場合に、鮮度維持が可能で、かつ、凍ったまま食品を切ったりすることが可能となり、調理する場合に、解凍する時間が不要となるため調理時間が短縮できる。
【００７４】
本発明の請求項１０に記載の冷凍冷蔵庫は、底部に複数の小さな穴を有する第１の製氷皿と、前記第１の製氷皿の底部を覆うように設けられた第２の製氷皿と、によって前記製氷皿を構成し、前記第１の製氷皿と前記第２の製氷皿とを組合せた状態で製氷するようにしたので、水の中に含まれるミネラル成分等の白濁する不純物は第１の製氷皿と第２の製氷皿との間の隙間内に追いやられるため、第１の製氷皿内には、水割り用の氷等に適した透明に近い氷のみを得ることができる。
【００７５】
本発明の請求項１１に記載の冷凍冷蔵庫は、前記マイナス温度帯室へ冷気を送風する冷気送風ダクト内に脱臭装置を設けたので、冷気中の臭い成分を除去することができ、氷にいやなにおいが閉じ込められたり付着することがなくなり、おいしい氷を得ることができる。
【００７６】
本発明の請求項１２に記載の冷凍冷蔵庫は、前記冷蔵室の下方に冷凍室を備え、製氷機能を有する製氷装置を前記冷凍室に備えているので、冷凍室内の製氷装置で製氷した氷は飲み物用以外の冷却用などに使用すれば良く、また、夏場等氷が不足する時の補助的な氷として使用することができる。また、冬場など、冷蔵室内の氷のみの使用で充分な場合には、冷凍室内の自動製氷機を停止にすれば、冷凍室内に設けられている貯氷箱内に他の冷凍食品を収納することができる。
【図面の簡単な説明】
【図１】本発明の実施の形態１を表す冷蔵庫の側断面図である。
【図２】本発明の実施の形態１を表す別の冷蔵庫の側断面図である。
【図３】本発明の実施の形態１を表す冷蔵庫の製氷皿と貯氷箱の保持構造を示す正面図である。
【図４】本発明の実施の形態１を表す冷蔵庫の製氷皿と貯氷箱の取り出し方法を示す側断面図である。
【図５】本発明の実施の形態１を表す冷蔵庫の製氷皿の天面（上面）から冷気を供給する場合の要部の側断面図である。
【図６】本発明の実施の形態１を表す別の冷蔵庫の側断面図である。
【図７】本発明の実施の形態１を表す製氷皿の断面図である。
【図８】本発明の実施の形態２を表す冷蔵庫の側断面図である。
【図９】本発明の実施の形態３を表す冷蔵庫の側断面図である。
【図１０】本発明の実施の形態３を表す別の冷蔵庫の正面図である。
【図１１】本発明の実施の形態４の冷蔵庫を表わす図である。
【図１２】従来の冷蔵庫の側断面図である。
【符号の説明】
１　冷蔵室、２　製氷皿、３　断熱プレート、４　フタ、５　マイナス温度帯貯蔵室、６　温度センサー、７　風量調整装置、８　貯氷箱、９　冷凍室、１０貯氷箱、１２　ファン、１３　スライドケース、１４　仕切り、１５　断熱プレート、１６　冷蔵温度帯の空間、１７　給水タンク、１８　給水ポンプ、１９給水パイプ、２０　野菜室、２１　製氷完了検知温度センサー、２２　製氷ギアボックス、２３　脱臭装置、２４　検氷レバー、２５　自動製氷機、２６　急速製氷スイッチ、２７　製氷皿、２８　貯氷箱、２９　冷凍室、３０　野菜室、３１、３２　製氷皿用レール、３３、３４　風路、３５吹き出し穴、５０　給水タンク室、８１　取っ手、１０１、１０２　断熱プレート、１１１、１１２　貯氷箱要レール、２００　冷却器室、２０１　冷却器、２０２　ファン、２１０　冷気送風ダクト、２５０　製氷皿、２５１　第１の製氷皿、２５２　第２の製氷皿、２５３　複数の小さな穴、２５４　隙間、２８０　取っ手、３０１　断熱プレート。
【図１】
2004053092.tif 000003
【図２】
2004053092.tif 000004
【図３】
2004053092.tif 000005
【図４】
2004053092.tif 000006
【図５】
2004053092.tif 000007
【図６】
2004053092.tif 000008
【図７】
2004053092.tif 000009
【図８】
2004053092.tif 000010
【図９】
2004053092.tif 000011
【図１０】
2004053092.tif 000012
【図１１】
2004053092.tif 000013
【図１２】
2004053092.tif 000014